(57)【要約】【課題】本発明は、洗濯機用減衰機構及び当該洗濯機用減衰機構を有する洗濯機を提供する。【解決手段】前記洗濯機用減衰機構は、洗濯機の外槽（１）を支持するための複数の第１の減衰器（２）を含み、少なくとも二つの第１の減衰器（２）の間に第２の減衰器（３）が連結されている。前記洗濯機用減衰機構において、元となる第１の減衰器（２）に加えて、二つの第１の減衰器（２）を連結する第２の減衰器（３）が増設され、第２の減衰器（３）によって洗濯機の外槽（１）の振幅を抑制して、洗濯機全体の上下方向及び左右方向における振動を効果的に制限する。これによって、カウンタウェイトの体積を効果的に低減させて、洗濯機の構造をよりコンパクトにしながら、よりよい減衰及び防音効果を達成する。【選択図】図１
2018509262.tif 000002
【特許請求の範囲】
【請求項１】
洗濯機の外槽を支持するための複数の第１の減衰器（２）を含み、
少なくとも二つの第１の減衰器（２）の間に第２の減衰器（３）が連結されている、洗濯機用減衰機構。
【請求項２】
前記第１の減衰器（２）は、下端が洗濯機の筐体に連結され、上端が洗濯機の外槽に連結され、
前記第２の減衰器（３）は、両端が二つの第１の減衰器（２）にそれぞれ連結される、
請求項１に記載の洗濯機用減衰機構。
【請求項３】
前記第２の減衰器（３）は、両端がそれぞれコネクタ（４）によって前記第１の減衰器（２）に連結され、
前記コネクタ（４）は、前記第２の減衰器（３）に回転可能に連結される、
請求項２に記載の洗濯機用減衰機構。
【請求項４】
前記コネクタ（４）は、前記第１の減衰器（２）に嵌合されるスリーブ（４１）及び前記スリーブ（４１）の側壁に固定連結された連結棒（４２）を含み、
前記連結棒（４２）は、自由端が前記第２の減衰器（３）に回転可能に連結され、
前記スリーブ（４１）は、前記第１の減衰器（２）の軸周りに回転可能であり、且つ位置決めリング（４３）によって前記第１の減衰器（２）に沿う軸方向運動が制限されるように配置されている、
請求項３に記載の洗濯機用減衰機構。
【請求項５】
前記連結棒（４２）は、前記スリーブ（４１）の軸線に垂直である、
請求項４に記載の洗濯機用減衰機構。
【請求項６】
前記連結棒（４２）は、ポリオキシメチレン材であり、
前記スリーブ（４１）と前記第１の減衰器（２）との間に、潤滑油が塗布されている、
請求項４に記載の洗濯機用減衰機構。
【請求項７】
前記第１の減衰器（２）は、外筐体（２１）、内筐体（２２）及び内筐体（２２）の中を移動可能なピストンを含む液圧式減衰器であり、
前記第２の減衰器（３）は、前記第１の減衰器（２）の外筐体（２１）に連結され、
前記第２減衰器（３）は摩擦式減衰器である、
請求項１〜６のいずれか一項に記載の洗濯機用減衰機構。
【請求項８】
前記洗濯機の外槽の前部及び後部にそれぞれ一対の第１の減衰器（２）が設置されており、
前記洗濯機の外槽の前部における一対の第１の減衰器（２）の間に第２の減衰器（３）が連結されている、
請求項１〜６のいずれか一項に記載の洗濯機用減衰機構。
【請求項９】
請求項１〜８のいずれか一項に記載の洗濯機用減衰機構を有する、洗濯機。
【発明の詳細な説明】
【技術分野】
【０００１】
本願は、洗濯機の技術分野に関し、例えば、洗濯機用減衰機構及び当該減衰機構を有する洗濯機に関する。
【背景技術】
【０００２】
洗濯機の槽体による振動を吸収するために、洗濯機内に減衰システムを設置する必要がある。洗濯機の減衰システムには、一般的に摩擦式減衰器と吊りバネとカウンタウェイトとの組み合わせ、又は液圧式減衰器と吊りバネとカウンタウェイトとの組み合わせが使用されている。減衰器はいずれも洗濯機の外槽に個別に連結されるものであり、互いに力が働かず、洗濯機の外槽に対する減衰効果が比較的悪いため、バランスを取るように、体積が比較的大きいカウンタウェイトが必要となる。このようにすると、カウンタウェイトが槽体の容積を比較的大きく占めることとなり、洗濯機全体の設計がコンパクトではなく、洗濯容量が足りず、洗濯機全体の振動不良が発生し、そして洗濯機の筐体の強度に対する要求が高いという問題が引き起こされる。
【０００３】
上記問題に対して、減衰機構に存在する減衰効果が悪く、洗濯機のカウンタウェイトが大きく、構造がコンパクトではないという問題を解決するために、差し迫って新たな洗濯機用減衰機構及び洗濯機を提供する必要がある。
【発明の概要】
【０００４】
本発明に係る実施例において、減衰効果がよく、洗濯機の構造をコンパクトにし、洗濯機の容積を効果的に向上させる洗濯機用減衰機構が提供されている。
【０００５】
本発明に係る実施例において、減衰効果がよく、騒音が低く、容積が大きく、重量が軽く、構造がコンパクトな洗濯機が更に提供されている。
【０００６】
本発明に係る実施例において、以下の技術態様を採用することができる。  
【０００７】
つまり、洗濯機用減衰機構は、洗濯機の外槽を支持するための複数の第１の減衰器を含み、少なくとも二つの第１の減衰器の間に第２の減衰器が連結されている。
【０００８】
前記第１の減衰器は、下端が洗濯機の筐体に連結され、上端が洗濯機の外槽に連結され、
【０００９】
前記第２の減衰器は、両端が二つの第１の減衰器にそれぞれ連結される。
【００１０】
前記第２の減衰器は、両端がそれぞれコネクタによって前記第１の減衰器に連結され、前記コネクタは、前記第２の減衰器に回転可能に連結される。
【００１１】
前記コネクタは、前記第１の減衰器に嵌合されるスリーブ及び前記スリーブの側壁に固定連結された連結棒を含み、前記連結棒は、自由端が前記第２の減衰器に回転可能に連結され、
【００１２】
前記スリーブは、前記第１の減衰器の軸周りに回転可能であり、且つ位置決めリングによって前記第１の減衰器に沿う軸方向運動が制限されるように配置されている。
【００１３】
前記連結棒は、前記スリーブの軸線に垂直であるように設置されてもよい。
【００１４】
前記コネクタは、ポリオキシメチレン材であってもよく、前記スリーブと前記第１の減衰器との間に、潤滑油が塗布されてもよい。
【００１５】
前記第１の減衰器は外筐体、内筐体及び内筐体の中を移動可能なピストンを含む液圧式減衰器であってもよく、前記第２の減衰器は、前記第１の減衰器の外筐体に連結されてもよく、
【００１６】
前記第２の減衰器は摩擦式減衰器である。
【００１７】
洗濯機の外槽の前部及び後部にそれぞれ一対の第１の減衰器が設置されてもよく、前記洗濯機の外槽の前部における一対の第１の減衰器の間に第２の減衰器が連結されてもよい。
【００１８】
一方、本発明に係る実施例において、以下の技術態様を採用する。
【００１９】
つまり、洗濯機は、上記洗濯機用減衰機構を有する。
【００２０】
本発明に係る実施例における有益な効果は、以下のとおりである。
【００２１】
本発明の実施例に係る洗濯機用減衰機構において、元となる第１の減衰器に加えて、二つの第１の減衰器を連結する第２の減衰器が増設され、第２の減衰器によって洗濯機の外槽の振幅を抑制して、洗濯機全体の上下方向及び左右方向における振動を効果的に制限する。これによって、カウンタウェイトの体積を効果的に低減させて、洗濯機の構造をよりコンパクトにしながら、よりよい減衰及び防音効果を達成する。
【００２２】
本発明の実施例に係る洗濯機は、上記減衰機構を採用するため、減衰効果がよく、騒音が低く、容積が大きく、重量が軽く、且つ構造がよりコンパクトである。
【図面の簡単な説明】
【００２３】
【図１】本発明の実施例１に係る減衰機構と洗濯機の外槽との連結構造の斜視図である。
【図２】本発明の実施例１に係る減衰機構と洗濯機の外槽との連結構造の正面図である。
【図３】本発明の実施例１に係るコネクタと第１の減衰器との連結構造の模式図である。
【図４】本発明の実施例１に係る減衰機構の模式図その一である。
【図５】本発明の実施例１に係る減衰機構の模式図その二である。
【図６】本発明の実施例１に係る減衰機構の模式図その三である。
【００２４】
符号の説明
１、外槽
２、第１の減衰器
２１、外筐体
２２、内筐体
３、第２の減衰器
４、コネクタ
４１、スリーブ
４２、連結棒
４３、位置決めリング
【発明を実施するための形態】
【００２５】
以下、図面を参照しながら実施例により本発明の技術態様を説明する。
【００２６】
本発明に係る実施例において、洗濯機の外槽を支持するための複数の第１の減衰器を含み、少なくとも二つの第１の減衰器の間に第２の減衰器が連結されている洗濯機用減衰機構が提供されている。第２の減衰器によって洗濯機の外槽の振幅を抑制し、洗濯機全体の上下方向及び左右方向における振動を効果的に制限することができる。これによって、カウンタウェイトの体積を効果的に低減させて、洗濯機の構造をよりコンパクトにしながら、より良い減衰及び防音効果を達成する。
【００２７】
実施例１
本実施例において、ドラム式洗濯機を例としてこの減衰機構を説明する。図１〜図３に示すように、減衰機構は、洗濯機の外槽１の前部及び後部にそれぞれ設置された二対で四つの、外槽１の下部の両側に設けられた第１の減衰器２を含み、前部の二つの第１の減衰器２の間に第２の減衰器３が連結されている。
【００２８】
そのうち、第１の減衰器２は、下端が洗濯機の筐体に連結され、上端が外槽１に連結される。第２の減衰器３は、両端がそれぞれコネクタ４によって第１の減衰器２に連結される。コネクタ４は、第１の減衰器２に嵌設されるスリーブ４１及びスリーブ４１の側壁に固定連結された連結棒４２を含み、連結棒４２は、自由端が第２の減衰器３に回転可能に連結され、連結棒４２の自由端はヒンジ連結により第２の減衰器３と連結されることができる。スリーブ４１は、両端が位置決めリング４３によって位置規制される。
【００２９】
スリーブ４１は、第１の減衰器２とすきまばめされてもよい。こうすると、スリーブ４１は、第１の減衰器２の軸周りに回転可能となり、位置決めリング４３によって、第１の減衰器２の軸方向に沿う移動が制限される。これによって、コネクタ４の適応性が向上され、減衰効果が増強される。
【００３０】
連結棒４２は、スリーブ４１の軸線に垂直であるように設置されてもよく、これにより、移動過程において、終始第１の減衰器２に垂直なまま、第１の減衰器２の周りに回転可能となる。
【００３１】
コネクタ４には、ポリオキシメチレン材を使用してもよい。ポリオキシメチレンは、「超鋼（ｓｕｐｅｒ  ｓｔｅｅｌ）」として称賛される熱可塑性結晶重合物であり、非常に高い強度と剛性を有し、且つ弾性及び耐磨性がよく、力学的性能がよい。そこで、ポリオキシメチレンをコネクタ４の材料にすることによって、減衰機構の減衰効果を向上させることができ、構造的信頼性があって、耐用年数が延長される。
【００３２】
スリーブ４１の回転時の抵抗を低減させるために、スリーブ４１と第１の減衰器２との間には潤滑油を塗布してもよい。
【００３３】
そのうち、第１の減衰器２と第２の減衰器３とは、ダンパーであってもよく、ダンパーとばねとの組み合わせであってもよい。本実施例において、第１の減衰器２は、外筐体２１、内筐体２２及び内筐体の中を移動可能なピストンを含む液圧式減衰器を使用してもよく、第２の減衰器３は、摩擦式減衰器を使用してもよく、コネクタ４によって第１の減衰器２の外筐体２１に連結され、これによって、第１の減衰器２と第２の減衰器３との減衰作用が互いに干渉することはない。摩擦式減衰器を増設することによって、洗濯機が作動する際に、振動のエネルギーを摩擦式減衰器の摩擦に変換することができる。このようにして、洗濯機全体の振動及び騒音を低減させながら、洗濯機の筐体の強度に対する要求及びカウンタウェイトの体積を低減させて、外槽１と筐体との間の隙間を小さくすることができ、且つこれらの空間を外槽１の容積に変換して容積を増大させるとともに、重量を低減させ、コストダウンをする効果を達成できる。
【００３４】
図４は洗濯機用外槽１が正常状態にある際の減衰機構の形態模式図であり、この時、第２の減衰器３は水平状態となっている。図５に示すように、外槽１が左側へずれると、第２の減衰器３は、第１の減衰器２の作用下で、時計回りに旋回して長く伸びるとともに、第１の減衰器２を拘束する作用も果たし、これによって、外槽１の振幅を制限し、外槽１の上下方向や左右方向における振動を抑制する。同様に、図６に示すように、外槽１が右側へずれると、第２の減衰器３は、第１の減衰器２の作用下で、逆時計回りに旋回して長く伸びるとともに、第１の減衰器２を拘束する作用も果たし、これによって、外槽１の振幅を制限し、外槽１の上下方向や左右方向における振動を抑制する。
【００３５】
この減衰機構は、外槽１の前部及び後部にそれぞれ一対の第１の減衰器２を設置することに限られないだけでなく、前部の二つの第１の減衰器２の間だけに第２の減衰器３を設置することにも限られず、洗濯機の減衰のニーズに応じて設置することができ、第２の減衰器３を増設することによって減衰効果を向上させることができればよい。この減衰機構はドラム式洗濯機に適用されることに限られず、パルセーター式洗濯機にも適用できるが、構造が類似するため、ここでは繰り返しの説明を省略する。
【００３６】
実施例２
本実施例において、実施例１に記載の減衰機構を有する洗濯機が提供され、当該洗濯機は、減衰効果がよく、騒音が低く、容積が大きく、重量が軽く、且つ構造がよりコンパクトである。
【００３７】
以上、実施例を結合して本発明の技術態様を説明した。これらの内容は、本発明の保護範囲を限定するものと解釈されない。ここでの解釈に基づいて、当業者が、創造的な労働を行う必要なく、本発明の他の実施形態を想到することができるため、これらの形態は本発明の保護範囲に属すべきものである。
【００３８】
産業上の利用可能性
本願において洗濯機用減衰機構及び当該洗濯機用減衰機構を有する洗濯機が開示されている。前記洗濯機用減衰機構は、洗濯機の外槽を支持するための複数の第１の減衰器を含み、少なくとも二つの第１の減衰器の間に第２の減衰器が連結されている。前記洗濯機用減衰機構において、元となる第１の減衰器に加えて、二つの第１の減衰器を連結する第２の減衰器が増設され、第２の減衰器によって洗濯機の外槽の振幅を抑制して、洗濯機全体の上下方向及び左右方向における振動を効果的に制限する。これによって、カウンタウェイトの体積を効果的に低減させて、洗濯機の構造をよりコンパクトにしながら、より良い減衰及び防音効果を達成する。
【図１】
2018509262.tif 000003
【図２】
2018509262.tif 000004
【図３】
2018509262.tif 000005
【図４】
2018509262.tif 000006
【図５】
2018509262.tif 000007
【図６】
2018509262.tif 000008
【国際調査報告】
2018509262.tif 000009
2018509262.tif 000010
2018509262.tif 000011
2018509262.tif 000012